(57)【要約】【課題】本発明は、太陽電池が搭載された電子機器であって、所定時間内において効率的な受光が可能な方位と角度に太陽電池パネルを配置可能な電子機器を提供することを目的とする。【解決手段】本発明の携帯電話機１は、太陽電池パネル９０が搭載された表示部側筐体３と、表示部側筐体３と開閉自在に連結される操作部側筐体２と、表示部側筐体３と操作部側筐体２とがなす開閉角度を検出するエンコーダ１２３と、携帯電話機１の位置を測定するＧＰＳ部１２１と、携帯電話機１の所定部位における方位を測定する方位センサ１２２と、日時情報を取得する時計部１２５と、太陽電池パネル９０に受光させる受光時間を入力する操作部１０６と、受光時間と位置と日時情報とに基づいて、太陽電池パネル９０の受光に適した目標開閉角度と目標方位とを算出するＣＰＵ１００とを備える。【選択図】図２
2008278001.tif 000002
【特許請求の範囲】
【請求項１】
太陽電池パネルを有する電子機器であって、
前記太陽電池パネルが搭載された第１筐体と、
前記第１筐体と開閉自在に連結される第２筐体と、
前記第１筐体と前記第２筐体とがなす開閉角度を検出する角度検出手段と、
該電子機器の位置を測定する位置測定手段と、
該電子機器の所定部位における方位を測定する方位測定手段と、
日時情報を取得する日時情報取得手段と、
前記太陽電池パネルに受光させる受光時間を入力する受光時間入力手段と、
前記受光時間と該電子機器の位置と日時情報とに基づいて、前記太陽電池パネルの受光に適した目標開閉角度と目標方位とを算出する算出手段とを備える電子機器。
【請求項２】
前記第１筐体と前記第２筐体とは、ヒンジ機構を介して開閉可能に連結され、
前記角度検出手段は、前記ヒンジ機構に配置されるエンコーダである請求項１記載の電子機器。
【請求項３】
前記第１筐体と前記第２筐体とは、ヒンジ機構を介して開閉可能に連結され、
前記ヒンジ機構は、前記第１筐体に連続する第１部と、前記第２筐体に連続し該ヒンジ機構における開閉軸方向に前記第１部と並んで配置される第２部と、を有し、
前記角度検出手段は、前記第１部又は前記第２部における一方に形成される角度基準部と、他方に形成される開閉角度目盛りとを有する請求項１に記載の電子機器。
【請求項４】
前記目標方位を表示する方位表示手段を更に備える請求項１から３のいずれか１項に記載の電子機器。
【請求項５】
前記方位表示手段は、前記目標方位と前記測定方位との差異の大きさを表示可能である請求項４に記載の電子機器。
【請求項６】
前記目標開閉角度を表示する角度表示手段を更に備える請求項１から５のいずれか１項に記載の電子機器。
【請求項７】
前記角度表示手段は、前記目標開閉角度と前記測定開閉角度との差異の大きさを表示可能である請求項６に記載の電子機器。
【発明の詳細な説明】
【技術分野】
【０００１】
本発明は、携帯電話機や簡易型携帯電話機等の移動通信機やＰＤＡ（Ｐｅｒｓｏｎａｌ  Ｄｉｇｉｔａｌ  Ａｓｓｉｓｔａｎｔｓ）といった電子機器に関する。特には、太陽電池パネルが搭載された電子機器に関する。
【背景技術】
【０００２】
近年、携帯電話機等の電子機器に太陽電池パネルを搭載させ、太陽光を受光することにより得られるエネルギーを電力に変換して使用する電子機器が提案されている。太陽電池パネルが搭載された電子機器は、太陽電池パネルに太陽光を受光させることにより容易に充電が可能となり、バッテリ切れによるトラブルを防止することができる。
【０００３】
しかし、電子機器に搭載される太陽電池パネルにおける充電機能が十分でないため、短時間での充電が困難であるという問題がある。このような状況のなか、できるだけ効率的に太陽光を太陽パネルに受光させることが求められている。
【０００４】
これに対し、液晶表示部に透明性太陽電池パネルを貼り付けることで、受光面積を広くして充電効率を向上させると共にデザイン性を考えた携帯電話機が提案されている（例えば、特許文献１参照）。
【０００５】
また、通話等の使用時において受光しやすい位置に太陽電池パネルを配置した携帯電話機が提案されている（例えば、特許文献２参照）。
【特許文献１】特開２００５−１３６５３１号公報
【特許文献２】特開２００６−２２９７４１号公報
【発明の開示】
【発明が解決しようとする課題】
【０００６】
しかし、特許文献１及び特許文献２に開示された発明では、携帯電話機の位置や日時に応じた効率的な条件で太陽パネルに受光させることはできなかった。更には、所定の充電時間内で最も効率的な受光が可能な方位や角度になるよう太陽電池パネルを配置させることができなかった。特に、携帯電話機等の小型の電子機器は、大型の発電装置のように太陽の移動に追従して太陽電池パネルの向きを変化させるようなモータ等を含む機構を収納配置させることが困難であるため、受光位置や時間に応じた方位や角度等を設定して太陽電池パネルの受光効率を高める機能を有する電子機器は存在しなかった。
【０００７】
本発明は、太陽電池が搭載された電子機器であって、所定時間内において効率的な受光が可能な方位と角度に太陽電池パネルを配置可能な電子機器を提供することを目的とする。
【課題を解決するための手段】
【０００８】
本発明は、太陽電池パネルを有する電子機器であって、前記太陽電池パネルが搭載された第１筐体と、前記第１筐体と開閉自在に連結される第２筐体と、前記第１筐体と前記第２筐体とがなす開閉角度を検出する角度検出手段と、該電子機器の位置を測定する位置測定手段と、該電子機器の所定部位における方位を測定する方位測定手段と、日時情報を取得する日時情報取得手段と、前記太陽電池パネルに受光させる受光時間を入力する受光時間入力手段と、前記受光時間と該電子機器の位置と日時情報とに基づいて、前記太陽電池パネルの受光に適した目標開閉角度と目標方位とを算出する算出手段とを備える電子機器に関する。
【０００９】
また、前記第１筐体と前記第２筐体とは、ヒンジ機構を介して開閉可能に連結され、前記角度検出手段は、前記ヒンジ機構に配置されるエンコーダであることが好ましい。
【００１０】
また、前記第１筐体と前記第２筐体とは、ヒンジ機構を介して開閉可能に連結され、前記ヒンジ機構は、前記第１筐体に連続する第１部と、前記第２筐体に連続し該ヒンジ機構における開閉軸方向に前記第１部と並んで配置される第２部と、を有し、前記角度検出手段は、前記第１部又は前記第２部における一方に形成される角度基準部と、他方に形成される開閉角度目盛りとを有することが好ましい。
【００１１】
また、前記目標方位を表示する方位表示手段を更に備えることが好ましい。
【００１２】
また、前記方位表示手段は、前記目標方位と前記測定方位との差異の大きさを表示可能であることが好ましい。
【００１３】
また、前記目標開閉角度を表示する角度表示手段を更に備えることが好ましい。
【００１４】
また、前記角度表示手段は、前記目標開閉角度と前記測定開閉角度との差異の大きさを表示可能であることが好ましい。
【発明の効果】
【００１５】
本発明は、太陽電池が搭載された電子機器であって、所定時間内において効率的な受光が可能な方位と角度に太陽電池パネルを配置可能な電子機器を提供することができる。
【発明を実施するための最良の形態】
【００１６】
以下、図面を参照して本発明を実施するための最良の形態を説明する。なお、以下、電子機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１７】
また、本実施形態においては、連結部４による１軸式の折り畳み型である携帯電話機１を用いて説明をするが、本発明においてはこれに限らない。携帯電話機１は、いわゆる２軸式の折り畳み型であってもよい。
【００１８】
図１及び図２より、電子機器としての携帯電話機１における基本構造を説明する。図１は、携帯電話機１の操作キー群１１側からみた外観斜視図を示す。図２は、携帯電話機１における表示部側筐体３のリアパネル３ｄ側からみた外観斜視図を示す。
【００１９】
図１及び図２に示すように、携帯電話機１は、太陽電池パネル９０を有する電子機器である。携帯電話機１は、太陽光から得られる太陽エネルギーを電力に変換可能な太陽電池パネル９０を備える。携帯電話機１は、操作部側筐体２と、太陽電池パネル９０が搭載される表示部側筐体３と、を備える。第１筐体としての表示部側筐体３と第２筐体としての操作部側筐体２とは、ヒンジ機構を備える連結部４を介して開閉可能に連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。
【００２０】
ここで、閉状態とは、両筐体が互いに重なるように配置された状態であり、開状態とは、両筐体が互いに重ならないように配置された状態をいう。
【００２１】
操作部側筐体２は、外面がフロントケース２ａとリアケース２ｂとにより構成される。この操作部側筐体２は、フロントケース２ａ側に、受光時間入力手段を構成する操作キー群１１と、携帯電話機１の使用者が通話時に発した音声が入力されるマイクとしての音声入力部１２と、方位表示手段及び角度表示手段を構成するＬＥＤ表示部１５０がそれぞれ露出するように構成される。
【００２２】
ここで、操作キー群１１は、各種設定や電話帳機能やメール機能等の各種機能を作動させるための機能設定操作キー１３、電話番号の数字やメール等の文字等を入力するための入力操作キー１４、各種操作における決定や上下左右方向のスクロール等を行う操作部材としての決定操作キー１５により構成されている。操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。具体的には、入力操作キー１４により受光時間を入力することができる。また、操作決定キー１５により受光時間の変更や決定をすることができる。
【００２３】
音声入力部１２は、操作部側筐体２の長手方向における連結部４側とは反対の外端部側に配置される。つまり、音声入力部１２は、携帯電話機１が開状態において一方の外端部側に配置される。
【００２４】
ＬＥＤ表示部１５０は、操作部側筐体２の連結部４とは反対の端部側に音声入力部１２を囲むように配置される。ＬＥＤ表示部１５０は、上下左右方向を示す４つの矢印を発光表示する。ＬＥＤ表示部１５０における表示は、矢印を連続的に発光させることや、点滅表示させることができる。また、この点滅表示における点滅の間隔も適宜変更することができる。
【００２５】
ＬＥＤ表示部１５０に表示される矢印は、左右方向を示す方位表示部１５１ａ、１５１ｂと、上下方向を示す角度表示部１５２ａ、１５２ｂとにより構成される。これらの表示態様については、後に詳述する。
【００２６】
操作部側筐体２の一方側の側面には、外部機器（例えば、ホスト装置）と通信を行うためのインターフェース（図示せず）が配置されており、インターフェースは、キャップ１６により覆われている。操作部側筐体２の他方側の側面には、所定の機能が割り当てられているサイドキー３０と、外部メモリの挿入及び取り出しが行われるインターフェース（図示せず）とが配置されており、インターフェースは、キャップ３１により覆われている。
【００２７】
表示部側筐体３は、外面がフロントケース３ｂとリアケース３ｃとにより構成される。表示部側筐体３におけるフロントケース３ｂには、各種情報を表示するための表示部２１と、通話の相手側の音声を出力するレシーバとしての音声出力部２２と、が露出するように構成される。ここで、表示部２１は、液晶パネルと、この液晶パネルを駆動する駆動回路と、この液晶パネルの背面側から光を照射するバックライト等の光源部とから構成される。ここで、表示部２１は、方位表示手段及び角度表示手段としても機能する。
【００２８】
また、表示部側筐体３におけるリアケース３ｃには、太陽エネルギーを電力に変換させる太陽電池パネル９０と、スピーカ部２４とが配置される。太陽電池パネル９０は、表示部側筐体３のリアケース３ｃにおける表面に太陽光を受光可能な態様で配置される。太陽電池パネル９０は、携帯電話機１の向きを変えることで受光に適した方位を向くように配置される。また、太陽電池パネル９０は、表示部側筐体３の開閉角度を調整することで、太陽光に対する受光角度を調整することができる。また、表示部側筐体３の一方の側面には、スライドキー３２が配置される。
【００２９】
次いで、図３及び図４により、操作部側筐体２及び表示部側筐体３の内部構造について説明する。図３は、操作部側筐体２に内蔵される部材の分解斜視図である。図４は、表示部側筐体３に内蔵される部材の分解斜視図である。
【００３０】
図３に示すように、操作部側筐体２は、フロントケース２ａと、操作キー群１１を構成するキーシート４０と、フレキシブル配線基板５０と、ケース体６０と、基準電位パターン層及び携帯電話機用のＲＦ（Ｒａｄｉｏ  Ｆｒｅｑｕｅｎｃｙ）モジュール等の各種電子部品を備える回路基板７０と、音声入力部１２と、バッテリリッド２ｃを備えたリアケース２ｂと、バッテリ８０とを備える。
【００３１】
フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブル配線基板５０と、ケース体６０と、回路基板７０とが挟まれるようにして内蔵される。つまり、回路基板７０を覆うようにしてケース体６０が積層配置され、また、ケース体６０の上面側にフレキシブル配線基板５０が積層配置され、また、フレキシブル配線基板５０の上面にキーシート４０が積層配置される。
【００３２】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、キーシート４０上に形成される機能設定操作キー１３、入力操作キー１４及び決定操作キー１５の押圧面が露出する。この露出した機能設定操作キー１３、入力操作キー１４及び決定操作キー１５の押圧面を押し下げるように押圧することで、対応するキースイッチ５１、５２、５３それぞれに設けられる後述のメタルドーム（椀状形状）の頂点が押圧され、スイッチ端子に接触して電気的に導通する。また、フロントケース２ａには、ＬＥＤ孔１５５ａが形成される。このＬＥＤ孔１５５ａからはＬＥＤ表示部モジュール１５５におけるＬＥＤ表示部１５０が露出される。
【００３３】
キーシート４０は、シリコンゴム製のシート４１の表面に機能設定操作キー１３、入力操作キー１４及び決定操作キー１５が接着剤により貼り付けられて構成される。機能設定操作キー１３、入力操作キー１４及び決定操作キー１５は、フレキシブル配線基板５０におけるキースイッチ５１、５２、５３と対向する位置に配置されると共に、フロントケース２ａに形成されるキー孔１３ａ、１４ａ、１５ａから露出するように配置される。
【００３４】
フレキシブル配線基板５０は、フロントケース２ａ側の面に複数のキースイッチ５１、５２、５３を有し、ケース体６０における平板部６１に載置される。フレキシブル配線基板５０のキースイッチ５１、５２、５３は、椀状に湾曲して立体的に形成された金属板のメタルドームを有する構造になっている。メタルドームは、その椀状形状の頂点が押圧されると、フレキシブル配線基板５０の表面に印刷された電気回路（図示せず）に形成されるスイッチ端子に接触して電気的に導通する。なお、フレキシブル配線基板５０は、複数の絶縁フィルムの間に配線を挟み込んだものである。
【００３５】
ケース体６０は、シールドケースとして機能し、回路基板７０上に載置された状態で取り付けられる。具体的には、回路基板７０上に、ケース体６０の外縁等に形成される隔壁としてのリブ６２の底面が当接した状態で取り付けられる。
【００３６】
回路基板７０には、不図示の各種電子部品が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路、音声処理回路、画像処理回路、制御回路等を含む各種回路ブロックが形成される。なお、回路基板７０とケース体６０とは、複数の連結部Ａにおいて着脱可能に部分的に固定される。
【００３７】
リアケース２ｂには、取り外し可能なバッテリリッド２ｃが設けられており、バッテリ８０をリアケース２ｂの外側から収納した後、リアケース２ｂに装着される。また、リアケース２ｂには、ユーザの音声を入力する音声入力部１２が収容される。
【００３８】
図４に示すように、表示部側筐体３は、フロントパネル３ａと、音声出力部２２と、フロントケース３ｂと、スピーカ２３と、表示部２１と、表示部２１が接続されたプリント基板８５と、リアケース３ｃと、リアパネル３ｄと、太陽電池パネル９０と、を備える。また、リアパネル３ｄには、太陽電池パネル９０を露出させるための開口部９２と、スピーカ２３から出力された音声を外部に発生させるスピーカ部２４が設けられている。
【００３９】
表示部側筐体３は、フロントパネル３ａと、フロントケース３ｂと、表示部２１と、プリント基板８５と、リアケース３ｃと、太陽電池パネル９０と、リアパネル３ｄのそれぞれが積層的に配置される。具体的には、フロントケース３ｂとリアケース３ｃとは、互いの凹状の内側面が向き合うように配置され、互いの外周縁が重なり合うようにして結合される。
【００４０】
そして、フロントケース３ｂとリアケース３ｃとの間には、表示部２１が接続されたプリント基板８５が挟まれるようにして内蔵される。プリント基板８５には、不図示のアンプと接続されるスピーカ２３が接続される。スピーカ２３は、携帯電話機１がハンズフリーモードに移行した場合に増幅した音声や警告音等を出力する。
【００４１】
また、リアケース３ｃとリアパネル３ｄとの間には、リアパネル３ｄの開口部９２から露出するようにして太陽電池パネル９０が収納配置される。太陽電池パネル９０は、太陽エネルギーを電力に変換する。この太陽電池パネル９０により得られた電力は、後述する電源回路部１０４を介してバッテリ８０に充電される。
【００４２】
ここで、連結部４には、エンコーダ１２３が収納配置される。具体的には、エンコーダ１２３は、連結部４に配置されるヒンジ機構に配置される。エンコーダ１２３は、操作部側筐体２と表示部側筐体３との開閉角度を測定する。エンコーダ１２３として、光電式のエンコーダや磁気式のエンコーダを用いることができる。
【００４３】
次に、図５により、携帯電話機１の構成について説明する。図５は、携帯電話機１の構成を説明するブロック図である。図５に示すように、携帯電話機１は、ＣＰＵ１００、ＲＦ（Ｒａｄｉｏ  Ｆｒｅｑｕｅｎｃｙ）回路部１０１、音声処理部１０２、メモリ部１０３、電源回路部１０４、画像処理部１０５、操作部１０６、バッテリ８０、太陽電池パネル９０、ＧＰＳ部１２１、方位センサ１２２、エンコーダ１２３、時計部１２５、ＬＥＤ表示部を有する。
【００４４】
ＲＦ回路部１０１は、不図示の基地局を介した無線通信動作、例えば、電話番号の発呼動作や電子メールの送受信動作等を行う。ＲＦ回路部１０１は、送受信アンテナ１０９を含んで構成され、電波を利用した無線通信で行うために後述のＣＰＵ１００で処理された音声情報、画像情報、電子メール等を変調して送受信アンテナ１０９により基地局（図示せず）に送信する。なお、本実施形態においては、送受信アンテナ１０９は、操作部側筐体２に内蔵され、図１において操作部側筐体２の外部に露出されていない構成となっている。
【００４５】
音声処理部１０２は、音声入力部１２と、音声出力部２２と、スピーカ２３と、を含んで構成される。音声入力部１２は、集音したユーザの音声を音声処理部１０２に供給する。音声入力部１２により集音された音声は、音声処理部１０２において、アナログ音声信号からデジタル音声信号に変換される。そして、変換されたデジタル音声信号は、ＣＰＵ１００において、フィルタ処理や符号化処理等の所定の処理がなされる。また、音声処理部１０２は、ＣＰＵ１００により供給された着信音データ等のデジタル音声情報に対して所定の処理を行うことによりアナログ音声信号に変換し、音声出力部２２から出力させる。スピーカ２３は、音声処理部１０２によりハンズフリーモード用に増幅処理されたアナログ音声信号を音声として出力する。
【００４６】
メモリ部１０３は、ＥＥＰＲＯＭ等の不揮発性メモリを含んで構成され、通話やメールの送受信のための制御プログラム、インターネットブラウザ、メッセージデータ、名前および電話番号等が登録されたアドレス帳等を記憶する。また、メモリ部１０３は、緯度及び経度の情報を含む位置情報と、年月日及び時刻の情報を含む日時情報とにより太陽の方位及び仰角を特定できるＤＢを有していても良い。
【００４７】
電源回路部１０４は、バッテリ８０と太陽電池パネル９０とに電気的に接続される。電源回路部１０４は、バッテリ８０からの電力が一定になるように調整すると共に、太陽電池パネル９０により得られた電力をバッテリ８０に充電する。
【００４８】
太陽電池パネル９０は、複数の太陽電池セル９１により構成される。太陽電池パネル９０は、太陽エネルギーを電力に変換することができる。太陽電池パネル９０により得られた電力は、上述のように電源回路部１０４を介してバッテリ８０に充電される。
【００４９】
太陽電池パネル９０は、太陽光と垂直になるように配置されて受光するほど発電効率が良い。つまり、太陽電池パネル９０は、太陽の方向を向くように方位を調整して配置されることが好ましく、また、太陽の方向を向くように仰角を調整して配置されることが好ましい。太陽電池パネル９０の方位は、携帯電話機１の向きを変えることで調整することができる。また、太陽電池パネル９０の仰角は、開閉角度を変えることで調整することができる。
【００５０】
ここで、目標方位及び目標開閉角度は、後述するＣＰＵ１００により算出される。更に具体的には、所定の受光時間内において最も効率的に太陽光が受光できるような太陽電池パネル９０の目標方位及び目標開閉角度はＣＰＵ１００により算出される。太陽電池パネル９０は、目標方位及び目標開閉角度になるよう調整される。目標方位及び目標開閉角度は、後述する表示部２１やＬＣＤ表示部１５０に表示される。この表示部２１やＬＣＤ表示部１５０に表示された目標方位及び目標開閉角度に基づいて、方位及び開閉角度が調整される。
【００５１】
画像処理部１０５は、表示部２１に接続される。表示部２１は、液晶表示装置（ＬＣＤ）等の表示ディバイスを有し、例えば、電子メールのテキストやメモリ部１０３に格納された様々なテキストを表示する。画像処理部１０５は、ユーザが操作部１０６を操作することにより得られた各種データを表示可能に処理し、表示部２１に表示させる。
【００５２】
操作部１０６は、各種操作キー群１１を含んで構成される。操作キー群１１を構成する各キーそれぞれには、操作部側筐体２と表示部側筐体３との開閉状態や各種モード、或いは起動されているアプリケーション等の種類に応じて所定の機能が割り当てられており、ユーザが各キーを押下することにより、各キーに割り当てられている機能に応じた動作が実行される。また、上述のように、操作部１０６は、太陽電池パネル９０の受光時間を入力する受光時間入力手段として機能する。受光時間は、現時点から時間を指定することで入力してもよく、２つの時刻を指定することで入力してもよい。
【００５３】
日時情報取得手段としての時計部１２５は、所定時における日時情報（年月日時分秒）を取得する。
【００５４】
位置測定手段としてのＧＰＳ部１２１は、ＧＰＳ（Ｇｌｏｂａｌ  Ｐｏｓｉｔｉｏｎｉｎｇ  Ｓｙｓｔｅｍ）機能を有する。ＧＰＳ部１２１は、携帯電話機１の緯度及び経度を測定する。具体的には、ＧＰＳ部１２１は、地球を周回する複数の衛星からの電波を受信することで衛星までの距離を測位し、三角交差法により携帯電話機１の位置を測定する。このＧＰＳ部１２１で測定された測定位置の情報は、ＣＰＵ１００に出力される。
【００５５】
方位測定手段としての方位センサ１２２は、太陽電池パネル９０の方位を測定する。方位センサ１２２は、太陽電池パネル９０に配置される必要はなく、太陽電池パネル９０と一体的に方位が変わる位置に配置されていればよい。方位センサ１２２は、不図示の磁気センサを含んで構成され、該磁気センサによって地磁気を検出することで方位を測定する。この方位センサ１２２により測定された測定方位の情報は、ＣＰＵ１００に出力される。
【００５６】
エンコーダ１２３は、操作部側筐体２と表示部側筐体３とのなす開閉角度を測定する。このエンコーダ１２３により測定された測定開閉角度の情報は、ＣＰＵ１００に出力される。
【００５７】
ＣＰＵ１００は、マイクロコンピュータを主体として構成され、携帯電話機１の全体の制御を行う。ＣＰＵ１００は、後述する算出手段として機能するほか、ＲＦ回路部１０１における各種情報の無線による送受信の制御、音声情報の出力変換等の制御、表示部２１へ情報表示に関する制御、操作部１０６の入力情報に応じた処理等の制御を行う。
【００５８】
算出手段としてのＣＰＵ１００は、受光時間情報と、携帯電話機１の緯度及び経度を含む位置情報と、月日及び時刻を含む日時情報とに基づいて、太陽電池パネル９０の受光に適した目標開閉角度と目標方位とを算出する。
【００５９】
ＣＰＵ１００は、受光開始時刻において最も効率的な開閉角度及び方位ではなく、受光時間を通じて太陽電池パネル９０が最も効率的に受光可能な開閉角度及び方位を目標開閉角度及び目標方位として算出する。
【００６０】
具体的には、ＣＰＵ１００は、位置情報と日時情報とにより、太陽の位置を算出すると共に、太陽と携帯電話機１との位置関係を算出する。更に、ＣＰＵ１００は、受光時間情報により、この受光時間を通じて最も効率的に受光できる開閉角度及び方位を算出する。このようにして、ＣＰＵ１００は、目標開閉角度及び目標方位を算出する。
【００６１】
ここで、表示部２１は、上述のように角度表示手段及び開閉角度表示手段としても機能する。具体的には、算出された目標開閉角度及び目標方位を数値や矢印等の図形で表示することができる。ここで、目標開閉角度及び目標方位の内容を理解できる表示態様であれば、その態様は限定されない。
【００６２】
ＬＥＤ表示部１５０は、表示部２１と同様に、角度表示手段及び開閉角度表示手段として機能する。ＬＥＤ表示部１５０は、上下左右方向を示す４つの矢印を発光表示する。ＬＥＤ表示部１５０における表示は、上述の通り、矢印を連続的に発光させることや、点滅表示させることができる。また、この点滅表示における点滅の間隔も適宜変更することができる。ＬＥＤ表示部１５０に表示される矢印は、左右方向を示す方位表示部１５１ａ、１５１ｂと、上下方向を示す角度表示部１５２ａ、１５２ｂとにより構成される。
【００６３】
方位表示部１５１ａ、１５１ｂは、後述する目標方位と測定方位との差異に応じて表示される。具体的には、目標方位と測定方位とが同じであるか又は微小な差異である場合、方位表示部１５１ａ、１５１ｂは発光表示されない。目標方位と測定方位との差異が所定以上である場合、方位表示部１５１ａ、１５１ｂは発光表示される。
【００６４】
更に具体的には、目標方位と測定方位との差異の大きさに応じて光の強さが異なるようにして発光させることができる。目標方位と測定方位との差異が大きい場合には方位表示部１５１ａ、１５１ｂを強発光させ、目標方位と測定方位との差異が小さい場合には方位表示部１５１ａ、１５１ｂを弱発光させる。ここで、目標方位と測定方位との差異の大きさに応じて点灯状態が異なるよう表示することもでき、例えば、目標方位と測定方位との差異が大きい場合には、方位表示部１５１ａ、１５１ｂを連続的に発光させるか又は短い間隔で点灯させて発光表示させ、目標方位と測定方位との差異が小さい場合には、方位表示部１５１ａ、１５１ｂを長い間隔で点灯させて発光表示させることもできる。
【００６５】
また、角度表示部１５２ａ、１５２ｂは、後述する目標方位と測定方位との差異に応じて表示される。具体的には、目標開閉角度と測定開閉角度とが同じであるか又は微小な差異である場合、角度表示部１５２ａ、１５２ｂは発光表示されない。目標開閉角度と測定開閉角度との差異が所定以上である場合、角度表示部１５２ａ、１５２ｂは発光表示される。
【００６６】
更に具体的には、目標開閉角度と測定開閉角度との差異の大きさに応じて光の強さが異なるようにして発光させることができる。目標開閉角度と測定開閉角度との差異が大きい場合には角度表示部１５２ａ、１５２ｂを強発光させ、目標開閉角度と測定開閉角度との差異が小さい場合には角度表示部１５２ａ、１５２ｂを弱発光させる。ここで、目標開閉角度と測定開閉角度との差異の大きさに応じて点灯状態が異なるよう表示することもでき、例えば、目標開閉角度と測定開閉角度との差異が大きい場合には、角度表示部１５２ａ、１５２ｂを連続的に発光させるか又は短い間隔で点灯させて発光表示させ、目標開閉角度と測定開閉角度との差異が小さい場合には、角度表示部１５２ａ、１５２ｂを長い間隔で点灯させて発光表示させることもできる。
【００６７】
続けて、図６から図８により、携帯電話機１における動作について説明する。図６は、太陽電池パネル９０による受光開始までの基本的な手順を説明するフローチャートを示す。図７は、携帯電話機１を目標方位に向ける手順を説明するフローチャートを示す。図８は、携帯電話機１を目標開閉角度に調整する手順を説明するフローチャートを示す。
【００６８】
図６に示すように、まず、使用者は操作部１０６により充電（受光）開始時刻と充電（受光）時間を入力する（ＳＴ１）。使用者により充電（受光）開始時刻と充電（受光）時間が入力されると、時計部１２５は現在の日時情報を取得すると共に、ＧＰＳ部１２１は現在の位置情報を取得する（ＳＴ２）。
【００６９】
次いで、ＣＰＵ１００は取得された日時情報と位置情報とにより、目標開閉角度及び目標方位を算出する（ＳＴ３）。このＣＰＵ１００により算出された目標開閉角度及び目標方位は、表示部２１に表示される（ＳＴ４）。
【００７０】
続けて、方位センサ１２２は、現在の方位を測定する。また、エンコーダ１２３は、現在の開閉角度を測定する（ＳＴ５）。そして、ＣＰＵ１００は、目標方位と方位センサ１２２により測定された測定方位との差異を算出すると共に、目標開閉角度とエンコーダ１２３により測定された測定開閉角度との差異を算出する（ＳＴ６）。
【００７１】
ＬＥＤ表示部１５０は、ＣＰＵ１００により算出された目標方位と測定方位との差異の大きさに応じて方位表示部１５１ａ、１５１ｂを発光させる。具体的には、目標方位と測定方位との差異の大きさに応じて方位表示部１５１ａ、１５１ｂにおける発光の強さを変えて表示する。また、同様に、ＬＥＤ表示部１５０は、ＣＰＵ１００により算出された目標開閉角度と測定開閉角度との差異の大きさに応じて角度表示部１５２ａ、１５２ｂを発光させる。具体的には、目標開閉角度と測定開閉角度との差異の大きさに応じて角度表示部１５２ａ、１５２ｂにおける発光の強さを変えて表示する（ＳＴ７）。
【００７２】
使用者は、ＬＥＤ表示部１５０の表示に従って、携帯電話機１の向きを調整して方位を調整すると共に、開閉状態を調整して開閉角度を調整する（ＳＴ８）。このようにして方位及び開閉角度を目標方位及び目標開閉角度に調整することで、携帯電話機１に配置される太陽電池パネル９０は、上述の充電（受光）時間における最も効率的な充電（受光）をすることができる。
【００７３】
図７により、携帯電話機１を目標方位に向ける手順について説明する。ここで、下記Ｋ１とＫ２とは、Ｋ１＞Ｋ２の関係にある正の値である。
図７に示すように、まず、目標方位と測定方位との差異の大きさ（目標方位−測定方位）が所定値Ｋ１以上である場合には、方位表示部１５１ａが強調発光される（ＳＴ１０１）。そして、目標方位と測定方位との差異の大きさ（目標方位−測定方位）が所定値Ｋ１以上ではない場合には、次のステップに進む。
【００７４】
次いで、目標方位と測定方位との差異の大きさ（目標方位−測定方位）が所定値−Ｋ１以下である場合には、方位表示部１５１ｂが強調発光される（ＳＴ１０２）。そして、目標方位と測定方位との差異の大きさ（目標方位−測定方位）が所定値−Ｋ１以下でない場合には、次のステップに進む。
【００７５】
続けて、目標方位と測定方位との差異の大きさ（目標方位−測定方位）が所定値−Ｋ２よりも大きく、所定値Ｋ２よりも小さい場合には、方位表示部１５１ａ、１５１ｂは発光されない（ＳＴ１０３）。そして、目標方位と測定方位との差異の大きさ（目標方位−測定方位）が上記範囲内にない場合は、次のステップに進む。
【００７６】
目標方位と測定方位との差異の大きさ（目標方位−測定方位）が所定値Ｋ２以上である場合には、方位表示部１５１ａが弱発光される（ＳＴ１０４）。そして、目標方位と測定方位との差異の大きさ（目標方位−測定方位）が所定値Ｋ２以上でない場合には、次のステップに進む。
【００７７】
目標方位と測定方位との差異の大きさ（目標方位−測定方位）が所定値−Ｋ２以下である場合には、方位表示部１５１ｂが弱発光される（ＳＴ１０５）。そして、目標方位と測定方位との差異の大きさ（目標方位−測定方位）が所定値−Ｋ２以下でない場合には、最初のステップに戻る。
【００７８】
図８により、携帯電話機１を目標開閉角度に調整する手順について説明する。ここで、下記Ｔ１とＴ２とは、Ｔ１＞Ｔ２の関係にある正の値である。
図８に示すように、まず、目標開閉角度と測定開閉角度との差異の大きさ（目標開閉角度−測定開閉角度）が所定値Ｔ１以上である場合には、角度表示部１５２ａが強調発光される（ＳＴ２０１）。そして、目標開閉角度と測定開閉角度との差異の大きさ（目標開閉角度−測定開閉角度）が所定値Ｔ１以上ではない場合には、次のステップに進む。
【００７９】
次いで、目標開閉角度と測定開閉角度との差異の大きさ（目標開閉角度−測定開閉角度）が所定値−Ｔ１以下である場合には、角度表示部１５２ｂが強調発光される（ＳＴ２０２）。そして、目標開閉角度と測定開閉角度との差異の大きさ（目標開閉角度−測定開閉角度）が所定値−Ｔ１以下でない場合には、次のステップに進む。
【００８０】
続けて、目標開閉角度と測定開閉角度との差異の大きさ（目標開閉角度−測定開閉角度）が所定値−Ｔ２よりも大きく、所定値Ｔ２よりも小さい場合には、角度表示部１５２ａ、１５２ｂは発光されない（ＳＴ２０３）。そして、目標開閉角度と測定開閉角度との差異の大きさ（目標開閉角度−測定開閉角度）が上記範囲内にない場合は、次のステップに進む。
【００８１】
目標開閉角度と測定開閉角度との差異の大きさ（目標開閉角度−測定開閉角度）が所定値Ｔ２以上である場合には、角度表示部１５２ａが弱発光される（ＳＴ２０４）。そして、目標開閉角度と測定開閉角度との差異の大きさ（目標開閉角度−測定開閉角度）が所定値Ｔ２以上でない場合には、次のステップに進む。
【００８２】
目標開閉角度と測定開閉角度との差異の大きさ（目標開閉角度−測定開閉角度）が所定値−Ｔ２以下である場合には、角度表示部１５１２が弱発光される（ＳＴ２０５）。そして、目標開閉角度と測定開閉角度との差異の大きさ（目標開閉角度−測定開閉角度）が所定値−Ｔ２以下でない場合には、最初のステップに戻る。
【００８３】
本実施形態によれば、太陽電池パネル９０が配置された携帯電話機１において、該太陽電池パネル９０を受光に適した方位及び角度に調整して配置することができる。
【００８４】
また、本実施形態によれば、所定時間内において最も効率的な受光が可能な方位と角度に太陽電池パネルを配置可能である。これにより、携帯電話機１は、所定時間における最も効率のよい充電ができる。
【００８５】
また、本実施形態によれば、ＬＥＤ表示部１５０により、目標方位及び目標開閉角度と測定方位及び測定開閉角度との差異の大きさに応じて発光の強さを調整できるので、使用者は視覚により簡易に方位及び開閉角度を調整することができる。
【００８６】
以上、本形態の好適な実施形態について説明したが、本発明は上述した実施形態に限定されることなく種々の形態で実施することができる。例えば、本実施形態において、開閉角度測定手段としてエンコーダ１２３を用いているが、これに限定されず、図９に示すように、ヒンジ機構を利用して開閉角度を測定できる分度器を構成することができる。具体的には、ヒンジ機構を構成する表示部側筐体３に連続する第１部９０１と、操作部側筐体２に連続しヒンジ機構における開閉軸方向に第１部９０１と並んで配置される第２部９０２と、を有する携帯電話機において、開閉角度測定手段として、第１部９０１に形成される目盛り９１０ａ、９１０ｂと、第２部９０２に形成される基準部９２０とにより構成される分度器を有するように構成することもできる。ここで、目盛り９１０ａ、９１０ｂと、基準部９２０とは互いに逆の筐体に形成されていてもよい。また、目盛り９１０ａと目盛り９１０ｂとをずらして形成することで、より詳細な開閉角度を測定することができる。ここで、図９の（ａ）は、本実施形態の携帯電話機の長手方向から見た側面図であり、図９の（ｂ）は、本実施形態の携帯電話機の太陽電池パネル９０側から見た上面図であり、図９の（ｃ）は、本実施形態の携帯電話機の短手方向から見た側面図であり、図９の（ｄ）は、本実施形態の携帯電話機のバッテリリッド２ｃ側から見た下面図である。
【００８７】
図９に示される開閉角度測定手段では、基準部９２０が第２部９０２に印刷され、目盛り９１０ａ，９１０ｂが、第１部９０１に印刷されている。もちろん、基準部９２０や目盛り９１０ａ，９１０ｂは、印刷ではなく、凸部や凹部などを用いた形状として形成されていたり、シールにより形成されていたり、その他の適宜な方法で形成されていても良い。
【００８８】
第１部９０１は、表示部側筐体３に２つ形成され、それぞれは、第２部９０２を挟むように、表示部側筐体３の短手方向端部かつ長手方向端部にそれぞれ形成されている。第２部９０２は、操作部側筐体２の長手方向端部に形成され、第１部９０１に挟まれて形成されている。そして、操作部側筐体２の厚さ方向の断面に平行な、操作部側筐体２の一方の面に基準部９２０が形成されている。この基準部９２０は、目盛り９１０ａ，９１０ｂのそれぞれの角度を指示するために、目盛り９１０ａ，９１０ｂのそれぞれに対向するように、第２部９０２に２つ形成されている。
【００８９】
第１部９０１と第２部９０２とは携帯電話機のヒンジ機構を形成しており、第１部９０１と第２部９０２との接合部分の少なく一方にはヒンジ軸が設けられている。
【００９０】
図９に示される開閉角度測定手段では、操作部側筐体２と表示部側筐体３とが閉じられた状態において、基準部９２０が、目盛り９１０ａに示される０度の角度を示すようになっている。そして、操作部側筐体２と表示部側筐体３とが互いに開き、開閉角度が増大するにつれて、第２部９０２に形成された基準部９２０に対して、第１部９０１に形成された目盛り９１０ａ，９１０ｂが移動する。そして、この移動に伴って、基準部９２０は、目盛り９１０ａ，９１０ｂにおける操作部側筐体２と表示部側筐体３との互いの開閉角度を指示する。
【００９１】
図９に示されるように、目盛りが目盛り９１０ａ，９１０ｂというように、基準部９２０に対して２つあることにより、双方の目盛りが示す角度単位（図９に示される例では１０度）の２倍（図９に示される例では５度）の精度でユーザは、基準部９２０の指示する操作部側筐体２と表示部側筐体３との互いの開閉角度を認識することができる。
【００９２】
本実施形態では、ユーザは、前述の表示部２１に表示された、所定時間内において最も効率的な受光が可能となる角度を認識し、その角度に合致するように、基準部９２０と、目盛り９１０ａ，９１０ｂとを用いて操作部側筐体２と表示部側筐体３との互いの開閉角度を調整する。
【００９３】
図９に示される例では、基準部９２０に対して目盛りが２つ存在する場合を例示したが、本発明はこのような場合に限定されるものではなく、目盛りの数は３つ以上であっても良い。この場合、目盛りが基準部に対して複数あることにより、それぞれの目盛りが示す角度単位の複数倍の精度で、ユーザは、基準部の指示する操作部側筐体と表示部側筐体との互いの開閉角度を認識することができる。
【００９４】
本実施形態では、前述のエンコーダを用いた実施形態と比べて、装置の数が少なくて済むと共に、エンコーダの出力の処理が不要となり、ＣＰＵの負荷を軽減することができる。なお、本実施形態における方位の調整方法は、前述のエンコーダを用いた方位の調整方法と同様の方法を用いることができる。
【図面の簡単な説明】
【００９５】
【図１】携帯電話機１の操作キー群１１側からみた外観斜視図を示す。
【図２】携帯電話機１における表示部側筐体３のリアパネル３ｄ側からみた外観を示す斜視図である。
【図３】携帯電話機１の操作部側筐体に内蔵される部材の分解斜視図である。
【図４】携帯電話機１の表示部側筐体に内蔵される部材の分解斜視図である。
【図５】携帯電話機１の構成を説明するブロック図である。
【図６】太陽電池パネル９０による受光開始までの基本的な手順を説明するフローチャートを示す。
【図７】携帯電話機１を目標方位に向ける手順を説明するフローチャートを示す。
【図８】携帯電話機１を目標開閉角度に調整する手順を説明するフローチャートを示す。
【図９】開閉角度測定手段における他の実施形態を説明する図を示す。
【符号の説明】
【００９６】
１        携帯電話機
２        操作部側筐体
３        表示部側筐体
１１      操作キー群
９０      太陽電池パネル
１００    ＣＰＵ
１０６    操作部
１２１    ＧＰＳ部
１２２    方位センサ
１２３    エンコーダ
１２５    時計部
１５０    ＬＥＤ表示部
【図１】
2008278001.tif 000003
【図２】
2008278001.tif 000004
【図３】
2008278001.tif 000005
【図４】
2008278001.tif 000006
【図５】
2008278001.tif 000007
【図６】
2008278001.tif 000008
【図７】
2008278001.tif 000009
【図８】
2008278001.tif 000010
【図９】
2008278001.tif 000011